(57)【特許請求の範囲】
【請求項１】
海上処分場の地盤上部に形成され、埋め立てられた廃棄物と水とが共存する海上処分場の浸出水排出システムにおいて、
前記水を浄化する反応性媒質が内蔵され、前記海上処分場に設置された多数の集水管と、
前記多数の集水管の少なくとも一つに選択的に連結され、前記集水管を介して前記水を集水して浄化処理の後に外部へ排出する浮遊式水処分装置とを含んでなり、
前記集水管は、
地盤に挿入された固定部と、
前記固定部から高さ方向に延長され、外周面に貫通孔が形成された集水部と、
前記反応性媒質が内蔵され、前記集水部の直径より小さい直径を有し、前記集水部に挿入された浄化部とを含み、
前記集水管は、
前記集水部と同心をなして前記集水部の外側に装着された遮蔽膜と、
前記遮蔽膜の下端に取り付けられ、水の表面に浮遊するブイとをさらに含む、海上処分場の浸出水排出システム。
【請求項２】
海上処分場の地盤上部に形成され、埋め立てられた廃棄物と水とが共存する海上処分場の浸出水排出システムにおいて、
前記水を浄化する反応性媒質が内蔵され、前記海上処分場に設置された多数の集水管と、
前記多数の集水管の少なくとも一つに選択的に連結され、前記集水管を介して前記水を集水して浄化処理の後に外部へ排出する浮遊式水処分装置とを含んでなり、
前記集水管は、
地盤に挿入された固定部と、
前記固定部から高さ方向に延長され、外周面に貫通孔が形成された集水部と、
前記反応性媒質が内蔵され、前記集水部の直径より小さい直径を有し、前記集水部に挿入された浄化部とを含み、
前記集水管は、
前記集水部と同心をなして前記集水部に嵌められ、前記廃棄物の上部に安着される基底ユニットと、
前記集水部と同心をなして前記集水部に嵌められ、前記基底ユニットに安着される延長ユニットとをさらに含む、海上処分場の浸出水排出システム。
【請求項３】
前記延長ユニットが前記集水部の最上端に到達するように多数の延長ユニットが前記集水部に嵌められた、請求項２に記載の海上処分場の浸出水排出システム。
【請求項４】
前記浮遊式水処分装置は、
前記水に浮遊する浮遊体と、
前記浮遊体の上面に装着されたポンプと、
前記ポンプに連結され、前記水を集水し浄化する浄化設備と、
前記多数の集水管の少なくとも一つと前記ポンプとを連結する集水パイプと、
前記浮遊体の下面に装着された水深測定装置とを含む、請求項１又は２に記載の海上処分場の浸出水排出システム。
【請求項５】
前記水深測定装置は、
前記水の表面から前記廃棄物または前記地盤までの距離を測定する測定センサーを含む、請求項４に記載の海上処分場の浸出水排出システム。
【発明の詳細な説明】
【技術分野】
【０００１】
本発明は、海上処分場の浸出水排出システム及び浸出水排出方法に関し、さらに詳しくは、廃棄物埋立地に備えられる浸出水集排水管を海上処分場に適用することができる、海上処分場の浸出水排出システム及び浸出水排出方法に関する。
【背景技術】
【０００２】
海上処分場とは、低透水性海底地盤の上部に、護岸構造物と水の移動を遮断する鉛直遮水孔とから構成される堤防形式の遮蔽施設を設置し、遮蔽施設の内部に焼却灰、不燃性固形廃棄物、浚渫土などを埋め立てる施設である。
【０００３】
海上処分場は、護岸と遮水孔からなる堤防で内外部を完全に遮水することにより、内部から発生する浸出水の外海への流出を遮断する。
【０００４】
海上処分場は、陸上の廃棄物埋立地とは異なり海上で、内部に水が存在する状態で護岸と遮水孔が設置されるので、遮蔽施設の施工後にも内部には既存の海水が存在し、降雨と廃棄物の埋め立てによって内部水位が増加することがある。
【０００５】
遮蔽施設で遮断された海上処分場の内部水位が外部の海水水位より高い場合、護岸と下部地盤内での水流れ方向が海上処分場の内部から外部へ形成される。これにより、海上処分場内部の水が遮蔽施設下部の海底地盤を介して外海へ流出する可能性がある。
【０００６】
したがって、海上処分場の水位が海水の水位よりやや低く維持されてこそ、海底地盤における水流れ方向が海上処分場の外部から内部へ形成され、海上処分場の内部に存在する水の外部への流出を防止することができる。
【０００７】
また、廃棄物が埋め立てられるにつれて水質が変化するので、内部の水を集水して適切に処理した後、排出しなければならない。
【０００８】
よって、海上処分場の水位を適正値に維持することができるように、海上処分場の水を浄化して排出することが可能な集水施設が求められる。
【発明の概要】
【発明が解決しようとする課題】
【０００９】
本発明は、上述した点に鑑みてなされたものであり、その目的は、海上処分場の水位を適正値に維持することができ、海上処分場から発生する浸出水を適正な状態に浄化することができる、海上処分場の浸出水排出システム及び浸出水排出方法を提供することにある。
【００１０】
本発明の他の目的は、廃棄物埋立層の内部間隙水の排出によって埋立層の圧密を促進することができ、廃棄物埋立層の汚染度を低減することができる、海上処分場の浸出水排出システム及び浸出水排出方法を提供することにある。
【００１１】
本発明の別の目的は、海上処分場に存在する水を集水する集水施設であって、構造的安定性及び集水効率の向上を図ることができる、海上処分場に設置される集水管及び集水管設置方法を提供することにある。
【課題を解決するための手段】
【００１２】
上記目的を達成するために、本発明の一実施例に係る海上処分場の浸出水排出システムは、海上処分場の地盤上部に形成され、埋め立てられた廃棄物と水とが共存する海上処分場の浸出水排出システムにおいて、水を浄化する反応性媒質が内蔵され、海上処分場に設置された多数の集水管と、多数の集水管の少なくとも一つに選択的に連結され、集水管を介して水を集水して浄化処理の後に外部へ排出する浮遊式水処分装置とを含んでなる。
【００１３】
また、集水管は、地盤に挿入された固定部と、固定部から高さ方向に延長され、外周面に貫通孔が形成された集水部と、反応性媒質が内蔵され、集水部の直径より小さい直径を有し、集水部に挿入された浄化部とを含み、集水部の外側には水の水位を表示する目盛りが形成されてもよい。
【００１４】
また、集水部の長さ方向に沿って貫通孔が等間隔で形成され、集水管は、集水部と同心をなして集水部の外側に装着された遮蔽膜と、遮蔽膜の下端に取り付けられ、水の表面に浮遊するブイとをさらに含んでもよい。
【００１５】
また、集水部の長さ方向に沿って貫通孔が等間隔で形成され、集水管は、集水部と同心をなして集水部に嵌められ、廃棄物の上部に安着される基底ユニットと、集水部と同心をなして集水部に嵌められ、基底ユニットに安着される延長ユニットとをさらに含んでもよい。
【００１６】
また、延長ユニットが集水部の最上端に到達するように多数の延長ユニットが集水部に嵌められてもよい。
【００１７】
また、浮遊式水処分装置は、水に浮遊する浮遊体と、浮遊体の上面に装着されたポンプと、ポンプに連結され、水を集水し浄化する浄化設備と、多数の集水管の少なくとも一つとポンプとを連結する集水パイプと、浮遊体の下面に装着された水深測定装置とを含んでもよい。
【００１８】
また、浄化設備は、ポンプを介して吸入された水が貯留される１次貯蔵槽と、１次貯蔵槽から水を引き受け、水を浄化する処理プラントと、処理プラントで浄化された水を貯留する排出前貯蔵槽とを含んでもよい。
【００１９】
また、水深測定装置は、水の表面から廃棄物または地盤までの距離を測定する測定センサーを含んでもよい。
【００２０】
上記目的を達成するために、本発明の一実施例に係る海上処分場の浸出水排出方法は、海上処分場の地盤上部に形成され、埋め立てられた廃棄物と水とが共存する海上処分場の浸出水排出方法において、海上処分場に備えられた集水管に表示された目盛りを読み取って地盤から水までの距離を計測し、水に浮遊する浮遊式水処分装置によって水の深さを算出し、地盤から水までの距離と水の深さとの差から廃棄物埋立層の厚さを算出し、浮遊式水処分装置に備えられたポンプの可動圧を加減することにより、埋立層に存在する間隙水を外部へ抽出することができる。
【００２１】
また、間隙水抽出の際に、集水管に形成された貫通孔を塞ぐように、集水管に基底ユニット及び少なくとも一つの延長ユニットを装着することができる。
【００２２】
上記目的を達成するために、本発明の一実施例に係る海上処分場に設置される集水管は、海上処分場の地盤上部に形成され、廃棄物が投入される海上処分場の内部に存在する水を集水する集水管において、地盤に固定された固定部と、固定部から水の外部に延長された集水部と、海上処分場の床面と水平に集水部から延長形成された多数の水平集水部とを含む。
【００２３】
また、集水部及び水平集水部の外側面に、集水部または水平集水部の内部を外部に開口する貫通孔が多数個形成されてもよい。
【００２４】
また、集水部と同心を成して集水部の外側に装着された遮蔽膜と、遮蔽膜の下端に取り付けられ、水の表面に浮遊するブイをさらに含んでもよい。
【００２５】
また、遮蔽膜の内径が集水部の外径より大きく、遮蔽膜の上側端部が集水部の外側面に固定されてもよい。
【００２６】
また、遮蔽膜と集水部の固定部位にゴムパッドが備えられてもよい。
【００２７】
また、廃棄物が集水部または水平集水部の内部に流入しないように、貫通孔に閉止部材が備えられてもよい。
【００２８】
また、水平集水部は、水平集水部の下面が海上処分場の床面に接触し、水平集水部の上面が長さ方向に沿って傾くように形成されてもよい。
【００２９】
また、集水部に集水された水を浄化するように、集水部に挿入された浄化部をさらに含んでもよい。
【００３０】
また、浄化部には、保有水または浸出水を浄化する反応性媒質が内蔵されてもよい。
【００３１】
また、浄化部は、管体形状の胴体と、胴体の上面及び下面にそれぞれ取り付けられた網とを含んでもよい。
【００３２】
また、集水部の上側の内部面には胴体を支持するガイドが設けられ、集水部の上端には中空の蓋が取り付けられてもよい。
【００３３】
上記目的を達成するために、本発明の一実施例に係る海上処分場に設置される集水管は、海上処分場の地盤上部に形成され、廃棄物が投入される海上処分場の内部に存在する水を集水する集水管において、地盤に固定された多数の固定部と、多数の固定部の上側に取り付けられたトライポッド形の水平集水部と、水平集水部の上側に連結され、水の外部に延長された集水部とを含む。
【００３４】
上記目的を達成するために、本発明の一実施例に係る海上処分場の集水管設置方法は、海上処分場の地盤上部に形成され、廃棄物が投入される海上処分場の内部に存在する水を集水する集水管設置方法において、内部圧の変化に応じて地盤に固定されるように形成された固定部と、固定部の上部に垂直に取り付けられた集水部と、集水部から地盤と水平に延長形成された水平集水部とを含む集水管を水に投擲し、固定部の内部圧力を下げて地盤に集水管を固定することを特徴とする。
【００３５】
上記目的を達成するために、本発明の一実施例に係る海上処分場の集水管設置方法は、海上処分場の地盤上部に形成され、廃棄物が投入される海上処分場の内部に存在する水を集水する集水管設置方法において、内部圧の変化に応じて地盤に固定されるように形成された多数の固定部と、多数の固定部の上面に取り付けられたトライポッド形の水平集水部とを含む基底部を水に投擲し、固定部の内部圧力を下げて地盤に基底部を固定し、水の外部に延長される集水部を多数の水平集水部の端部に連結することを特徴とする。
【発明の効果】
【００３６】
上述した本発明に係る海上処分場の浸出水排出システム及び浸出水排出方法によれば、海上処分場の水位を適正値に維持することができるという効果がある。
【００３７】
また、海上処分場で持続的に発生する浸出水を浄化して外部へ排出することができるという効果がある。
【００３８】
また、浮遊式水処分装置に備えられた排出前貯蔵槽に浄化された水が貯留されるので、海上処分場の水位が低いとき、海上処分場の水位を上昇させることが簡単に達成される。
【００３９】
また、廃棄物埋立層に存在する間隙水の除去が容易である。
【００４０】
また、海上処分場の地盤に固定された固定部の他にも、多数の水平集水部が海上処分場の床面に接触することにより、構造的安全性が向上するという効果がある。
【００４１】
また、固定部として内部圧の変化に応じて地盤に挿入固定される貫入体、いわゆるサクションパイルが活用されるため、海底地盤の攪乱及び破壊が最小化されるという効果がある。特に、固定部による地盤破損が最小化されるので、地盤破損部位を介して海上処分場内部の水が地下水に流入することが防止される。
【００４２】
また、集水管の構造的安定性が向上するので、地盤沈下などの海洋地殻変動による形状変化が最小化されるという効果がある。
【００４３】
また、反応性媒質が集水管に内蔵されるので、集水管に流入した海上処分場の水が浄化されるという効果がある。
【００４４】
また、水平集水部によって海上処分場の水を集水する面積が拡大されるので、集水効率及び集水安定性が向上するという効果がある。
【００４５】
また、水平集水部が廃棄物に埋められる場合、埋め立てられた廃棄物の内部に存在する間隙水を水平集水部を介して集水することができるという効果がある。
【００４６】
また、本発明は浚渫土投棄場に適用できる。浚渫土投棄場に適用される場合、浚渫土から発生する浸出水を容易に捕集することができる。
【図面の簡単な説明】
【００４７】
【図１】本発明の一実施例に係る海上処分場の浸出水排出システムを示す概要図である。
【図２】図１の海上処分場の浸出水排出システムに備えられた集水管と浮遊式水処分装置との連結を示す概要図である。
【図３】図１の海上処分場の浸出水排出システムに備えられた水深測定装置の概要図である。
【図４】図１の海上処分場の浸出水排出システムを介して水深を測定する例示図である。
【図５】図１の海上処分場の浸出水排出システムに備えられる基底ユニットと延長ユニットの概要図である。
【図６】図１の海上処分場の浸出水排出システムに備えられる集水管の断面図である。
【図７】図６の海上処分場の浸出水排出システムに備えられる集水管の要部斜視図である。
【図８】図１の海上処分場の浸出水排出システムに備えられる集水管の断面図である。
【図９】図８の海上処分場の浸出水排出システムに備えられる集水管の要部斜視図である。
【図１０】図６の海上処分場の浸出水排出システムに備えられる集水管の設置状態を示す例示図である。
【図１１】図８の海上処分場の浸出水排出システムに備えられる集水管の設置状態を示す例示図である。
【図１２】図６または図８の海上処分場の浸出水排出システムに備えられる集水管が設置された海上処分場の例示図である。
【発明を実施するための形態】
【００４８】
以下、添付図面を参考して本発明の好適な実施例を詳細に説明する。まず、図面中、同じ構成要素または部品はできる限り同じ参照符号を示していることに注意すべきである。
【００４９】
本発明を説明するにあたり、関連した公知の技術に対する具体的な説明は本発明の要旨を不明確にしないために省略する。
【００５０】
図１〜図５に示すように、本発明に係る海上処分場の浸出水排出システムは、海上処分場Ｒに備えられる多数の集水管１００と、海上処分場Ｒで浮遊移動する浮遊式水処分装置２００とを含む。
【００５１】
海上処分場Ｒは、内部に水Ｗが存在し、廃棄物Ｔが投入されるように地盤Ｌの上部に形成される。多数の集水管１００には、水Ｗを浄化する反応性媒質１３１が内蔵される。
【００５２】
反応性媒質１３１は水Ｗに含有された汚染物質を吸着または化学反応によって除去する。反応性媒質１３１は、透水ができるように砂のような形状に製造される。反応性媒質１３１として製鋼スラグやゼオライトなどが活用される。
【００５３】
浮遊式水処分装置２００は、多数の集水管１００の少なくとも一つに選択的に連結され、集水管１００を介して水Ｗを集水し、備えられた浄化設備２３０を介して水Ｗを浄化し、保管または外部へ排出する。
【００５４】
集水管１００は固定部１１０と集水部１２０と浄化部１３０を含む。
【００５５】
固定部１１０は地盤Ｌに挿入されて固定される。集水部１２０は、固定部１１０から高さ方向に延長され、外周面に貫通孔１２１が形成される。
【００５６】
貫通孔１２１は集水部１２０の長さ方向に沿って等間隔で形成される。貫通孔１２１には、水Ｗに含まれている固形物質が集水部１２０の内部に流入しないように多孔性網が備えられることが好ましい。
【００５７】
また、集水部１２０の外側には水Ｗの水位を表示する目盛り１２４が形成される。目盛り１２４は、地盤Ｌから水Ｗの表面までの距離を示す。海上処分場Ｒまたは浮遊式水処理装置２００に集水部１２０の目盛り１２４を感知する感知装置２６０として、カメラやレーザーなどが備えられる。
【００５８】
浄化部１３０は、集水部１２０の直径より小さい直径を有し、集水部１２０に挿入される。浄化部１３０は、管状に製作され、内蔵された反応性媒質１３１が水Ｗの流動に応じて離脱しないように上側と下側の開口部に多孔性金網が取り付けられる。集水部１２０の上端の内側面には、浄化部１３０が安着されるガイド１２２が形成される。集水部１２０の上端には、浄化部１３０の離脱を防止する中空形の蓋１２３が備えられる。
【００５９】
また、本発明の一実施例に係る集水管１００は、集水部１２０と同心をなし、集水部１２０の外側に装着された遮蔽膜１４０と、遮蔽膜１４０の下端に取り付けられ、水Ｗの表面に浮遊するブイ１５０とをさらに含む。
【００６０】
遮蔽膜１４０によって、水Ｗの表面上端に位置する貫通孔１２１を介して大気中の空気が集水部１２０の内部に流入することが防止される。
【００６１】
遮蔽膜１４０は集水部１２０の外径より大きい内径を持つように製作される。遮蔽膜１４０の最上端にはゴムパッド１４１が備えられる。ゴムパッド１４１を介して遮蔽膜１４０が集水部１２０に固定される。
【００６２】
また、本発明の一実施例の集水管１００は、集水部１２０と同心をなして集水部１２０に嵌められ、廃棄物Ｔの上部に安着される基底ユニット１６０と、集水部１２０と同心をなして集水部１２０に嵌められ、基底ユニット１６０に安着される延長ユニット１７０とをさらに含む。
【００６３】
延長ユニット１７０が集水部１２０の最上端に到達するように多数の延長ユニット１７０が集水部１２０に嵌められてもよい。
【００６４】
基底ユニット１６０は、集水部１２０の外径より大きい内径を持つように製作され、下端部には廃棄物Ｔ埋立層に安着できるようにディスク形状の安着部１６１が形成され、上端部には集水部１２０に密着することにより基底ユニット１６０を密封することができるようにゴムパッド１６２が形成される。ゴムパッド１６２は下広上狭状に製作される。
【００６５】
また、延長ユニット１７０は、集水部１２０の外径より大きい内径を持つように製作され、延長ユニット１７０の下端部は基底ユニット１６０のゴムパッド１６２に密着するように内側面が加工される。延長ユニット１７０の上端部には、集水部１２０に密着することにより延長ユニット１７０を密封することができるように下広上狭状のゴムパッド１７１が備えられる。
【００６６】
基底ユニット１６０と延長ユニット１７０によって廃棄物Ｔ埋立層の上部の貫通孔１２１を遮断することにより、水Ｗが貫通孔１２１を介して集水部１２０に流入することを防止することができ、廃棄物Ｔ埋立層に存在する間隙水のみを集水することができる。
【００６７】
浮遊式水処分装置２００は、浮遊体２１０、ポンプ２２０、浄化設備２３０、集水パイプ２４０及び水深測定装置２５０を含む。
【００６８】
浮遊体２１０は水Ｗの表面に浮遊するように製作される。浮遊体２１０は、船舶が活用でき、浮遊式水処分装置２００を特定の位置に移動させることが可能なナビゲーション、モーター及び操舵装置が備えられることが好ましい。
【００６９】
ポンプ２２０は浮遊体２１０の上面に取り付けられる。ポンプ２２０は、リード線によって電力の供給を外部から受けることができ、浮遊体２１０に搭載された鉛蓄電池から電力の供給を受けることもできる。
【００７０】
浄化装置２３０は、ポンプ２２０を介して吸入された水Ｗを生物学的、化学的に処理することが可能な施設を含む。
【００７１】
浄化装置２３０は、ポンプ２２０を介して吸入された水Ｗが貯留される１次貯蔵槽２３１と、１次貯蔵槽２３１から水Ｗを引き受け、水Ｗを生物学的、化学的に浄化する処理プラント２３２と、処理プラント２３２を介して浄化された水Ｗを貯留する排出前貯蔵槽２３３とを含む。
【００７２】
処理プラント２３２には、水Ｗの生物学的酸素要求量、化学的酸素要求量を算出することが可能な算出装置と、処理プラント２３２に流入した水Ｗに酸素及び酸化剤を投与することが可能な投与装置とが備えられる。
【００７３】
排出前貯蔵槽２３３は、処理プラント２３２を介して浄化された水Ｗを収容し、海上処分場Ｒの水位が低い場合、浄化された水Ｗを海上処分場Ｒに流入させることにより、海上処分場Ｒの水位を高める。
【００７４】
集水パイプ２４０は、多数の集水管１００の少なくとも一つとポンプ２２０とを連結する。集水パイプ２４０は、タコ足型であって、一つの本体から多岐を持つように製作できる。
【００７５】
水深測定装置２５０は浮遊体２１０の下面に取り付けられる。水深測定装置２５０は、水Ｗの表面から廃棄物Ｔ埋立層の表面までの距離または地盤Ｌまでの距離を測定する。水深測定装置２４０は音波探知機やレーザー光学装置などが活用される。
【００７６】
集水部１２０に備えられた目盛り１２４を根拠に、地盤Ｌから水Ｗまでの距離を計測し、水Ｗに浮遊する浮遊式水処分装置２００によって水Ｗの深さを算出し、地盤Ｌから水Ｗまでの距離と水Ｗの深さとの差を算出することにより、廃棄物Ｔ埋立層の厚さを導出することができる。
【００７７】
廃棄物Ｔ埋立層の厚さに基づいて算出された吸入圧を発生させることができるように、ポンプ２２０の作動圧を加減することにより、廃棄物Ｔ埋立層に存在する間隙水を抽出する。
【００７８】
このとき、前述した基底ユニット１６０と延長ユニット１７０を集水部１２０に設置することにより、水Ｗに接する貫通孔１２１を閉鎖して間隙水抽出効率を増大させる。
【００７９】
上述のように構成される本発明の一実施例は、水Ｗの水位が下降するとき、集水管１２０の外側に備えられた遮蔽膜１４０によって、大気空気が集水管１２０の内部に流入することが防止される。
【００８０】
また、集水部１２０に表示された目盛り１２４と水深測定装置２４０によって廃棄物Ｔ埋立層の厚さを導出することができ、廃棄物Ｔ埋立層の厚さに基づいて算出された吸入圧を実現するようにポンプ２２０を作動させることにより、廃棄物Ｔ埋立層に存在する間隙水を抽出することができる。
【００８１】
特に、基底ユニット１６０と延長ユニット１７０が集水部１２０に設置されることにより、廃棄物Ｔ埋立層に存在する間隙水の抽出が極大化される。
【００８２】
上述のように構成される本発明に係る海上処分場の浸出水排出システム及び浸出水排出方法によれば、集水管１００を海上処分場Ｒに設置し、設備施工とは無関係な浮遊式水処理装置２００を海上処分場Ｒに投入することにより、従来の陸上廃棄物Ｔ埋立地に適用されていた浸出水集排水施設を実現することができる。
【００８３】
特に、海上処分場Ｒに存在する水Ｗの水位を適正値に維持することができるので、海水Ｓとの高さ差により発生し得る、海上処分場Ｒをなす遮蔽施設の破損が防止される。
【００８４】
図６〜図１２には本発明に係る海上処分場の浸出水排出システムに備えられる集水管１００が開示されている。図６〜図１２に示すように、集水管１００が形成されることにより、集水管１００の構造的安定性及び集水効率が向上する。
【００８５】
図６及び図７に示すように、海上処分場に設置される集水管１００は、海上処分場Ｒの地盤Ｌの上部に形成され、廃棄物が投入される海上処分場Ｒの内部に存在する水を集水し、固定部１１０、集水部１２０及び水平集水部３００を含む。
【００８６】
固定部１１０は地盤Ｌに固定される。固定部１１０は、内部圧の変化に応じて地盤Ｌに固定されるように形成された貫入装置であって、固定部１１０の内部が減圧されることにより、地盤Ｌに挿入されて位置固定される。固定部１１０が管体形状に形成されることにより、遮水層、すなわち地盤Ｐの破損が最小化される。
【００８７】
集水部１２０は固定部１１０の上面に連結具によって固定される。固定部１１０と集水部１２０との連結部位は密封されることが好ましい。
【００８８】
多数の水平集水部３００は、海上処分場Ｒの床面と水平に集水部１２０から延長形成される。
【００８９】
水平集水部３００は、水平集水部３００の下面が海上処分場Ｒの床面に接触し、上面が長さ方向に沿って傾くように形成される。
【００９０】
多数の水平集水部３００が海上処分場Ｒの床面に接触した状態を維持するので、構造的安定性が向上する。また、水平集水部３００が廃棄物に埋められる場合、廃棄物の内部に存在する間隙水を水平集水部３００を介して外部へ排出することができる。
【００９１】
一方、集水部１２０及び水平集水部３００の外側面に、集水部１２０または水平集水部３００の内部を外部へ開口する貫通孔１２１、３１０が多数個形成される。
【００９２】
本発明の一実施例において、集水部１２０に形成される貫通孔１２１は、集水部１２０の長さ方向に沿って等間隔で多数個形成される。
【００９３】
貫通孔１２１、３１０は、一字状に集水部１２０及び水平集水部３００の外側面が切開されるように形成されてもよく、四角形または円形などの形状を持つように形成されてもよい。
【００９４】
貫通孔１２１、３１０が四角形または円形などの形状を持つように形成される場合、貫通孔１２１、３１０を介して集水部１２０または水平集水部３００の内部へ、海上処分場Ｒの内部に存在するスラッジが流入しないようにすることが好ましい。このために、貫通孔１２１、３１０に多孔金網などの閉止部材が備えられてもよい。
【００９５】
また、集水部１２０に形成された貫通孔１２１が水Ｗに浸からない場合、貫通孔１２１を介して水Ｗが集水部１２０に流入せず、大気中の空気が集水部１２０に流入する。
【００９６】
本発明の集水管１００は、前述したように、貫通孔１２１を介して大気中の空気が集水部１２０に流入しないように、集水部１２０と同心をなして集水部１２０の外側に装着された遮蔽膜１４０と、遮蔽膜１４０の下端に取り付けられ、水の表面に浮遊するブイ１５０とをさらに含む。
【００９７】
遮蔽膜１４０は、集水部１２０に接触しないように、内径が集水部１２０の外径より大きく製作される。遮蔽膜１４０の上側端部が集水部１２０の外側面に固定される。遮蔽膜１４０及び集水部１２０の固定部位にはゴムパッド１４１が備えられることにより、遮蔽膜１４０の内部が密封される。
【００９８】
ブイ１５０が水Ｗの水位に応じて上下に位置移動し、ブイ１５０の移動に応じて遮蔽膜１４０が巻かれて折られたり広げられたりして、水Ｗに接触しない貫通孔１２１を閉鎖する。
【００９９】
遮蔽膜１４０によって大気中に露出した貫通孔１２１が閉鎖されるので、大気中の空気が貫通孔１２１を介して集水部１２０に流入することが防止される。
【０１００】
集水部１２０及び水平集水部３００に流入した水Ｗが浄化できるように、反応性媒質Ｍが内蔵された浄化部１３０が集水部１２０の内側に備えられる。
【０１０１】
浄化部１３０は、集水部１２０の直径より小さい直径を有し、集水部１２０に挿入される。
【０１０２】
浄化部１３０は、管体形状の本体１３２と、本体１３２の上面及び下面にそれぞれ取り付けられた網１３３とを含む。網１３３を介して、浄化部１３０の内部と集水部１２０の内部とが連通する。
【０１０３】
集水部１２０上側の内部面に、本体１３２を支持するガイド１２２が形成され、集水部１２０の上端に中空の蓋１２３が装着されることにより、集水部１２０から本体１３２が離脱することが防止される。
【０１０４】
ガイド１２２は、集水部１２０の内部面から集水部１２０の長さ方向の中心部に向かって多数の据置突起が突出することにより形成される。
【０１０５】
前述のように構成される本発明の海上処分場の浸出水排出システムに備えられる集水管１００によれば、水平集水部３００が廃棄物に埋められる場合、水平集水部３００を介して、廃棄物層の内部に存在する間隙水を外部へ排出することができる。
【０１０６】
前述のように構成される集水管１００は図１０に示すように設置される。内部圧の変化に応じて地盤Ｌに固定されるように形成された固定部１１０と、固定部１１０の上部に垂直に取り付けられた集水部１２０と、集水部１２０から地盤Ｌと水平に延長形成された水平集水部３００とを含む集水管１００を、固定部１１０が地盤Ｌに安着されるように水に投擲し、固定部１１０の内部圧力を下げて地盤Ｌに集水管１００を固定する。
【０１０７】
一方、前述したように、固定部１１０、集水部１２０及び水平集水部３００が一体化された集水管１００が水Ｗに投入されると、大型クレーンを用いて施工が行われなければならないという欠点がある。
【０１０８】
このような点を考慮して、本発明は、図８及び図９に示すように、集水管１００の形態を基底部Ｂと集水部１２０が分離されるように変更し、基底部Ｂを地盤Ｌに固定した後、集水部１２０を基底部Ｂに固定する。
【０１０９】
基底部Ｂは、多数の固定部１１０と多数の水平集水部３００とが一体化されるように結合されて形成される。
【０１１０】
次に、基底部Ｂと集水部１２０とを含む、本発明の一実施例の集水管１００をさらに詳しく説明する。
【０１１１】
図８及び図９に示すように、本発明の集水管１００は、海上処分場Ｒの地盤Ｌの上部に形成され、廃棄物が投入される海上処分場Ｒの内部に存在する水を集水する集水管１００において、地盤Ｌに固定された多数の固定部１１０と、多数の固定部１１０の上側に取り付けられたトライポッド形の水平集水部３００と、水平集水部３００の上側に連結され、水の外部に延長された集水部１２０とを含む。
【０１１２】
前述のように構成される本発明の集水管１００は、前述した固定部１１０、集水部１２０及び水平集水部３００が一体化された集水管１００と同様に、内部に浄化部１３０が備えられ、貫通孔１２１を介して大気中の空気が集水部１２０に流入することを防止するように、遮蔽膜１４０とブイ１５０が備えられる。
【０１１３】
基底部Ｂと集水部１２０を含む集水管１００は、図１１に示すように設置される。
【０１１４】
基底部Ｂを水Ｗに投擲し、固定部１１０の内圧を減圧して基底部Ｂを地盤Ｌに固定する。
【０１１５】
水平集水部３００と集水部１２０とを連結することにより、集水管１００が垂直に地盤Ｌに起立する。
【０１１６】
上述したように、本発明の集水管１００は、固定部１１０と集水部１２０とが一体化されたタイプ（図６参照）、または固定部１１０と集水部１２０が分離されたタイプ（図８参照）を含む。
【０１１７】
固定部１１０と集水部１２０とが一体化されたタイプである図６の集水管１００は、浅い水深に設置されることに適しており、固定部１１０と集水部１２０が分離されたタイプである図８の集水管１００は、深い水深に設置されることにより適している。
【０１１８】
ところが、各タイプの集水管１００は、水深に応じて、設置位置が限定されるものではなく、集水管１００の設置時の気象条件や保有装備などの外部的要因を勘案して、設置が最も簡単な形態の集水管１００が選択的に設置されることが好ましい。
【０１１９】
以上、本発明に係る海上処分場の浸出水排出システム及び浸出水排出方法を例示図面に基づいて説明したが、本発明は、本明細書に開示された実施例と図面によって限定されるものではなく、本発明の技術思想の範囲内において当業者によって様々な変形を加え得ることは勿論である。
【図１】
0006359203.tif 000002
【図２】
0006359203.tif 000003
【図３】
0006359203.tif 000004
【図４】
0006359203.tif 000005
【図５（ａ）】
0006359203.tif 000006
【図５（ｂ）】
0006359203.tif 000007
【図５（ｃ）】
0006359203.tif 000008
【図５（ｄ）】
0006359203.tif 000009
【図６】
0006359203.tif 000010
【図７（ａ）】
0006359203.tif 000011
【図７（ｂ）】
0006359203.tif 000012
【図７（ｃ）】
0006359203.tif 000013
【図７（ｄ）】
0006359203.tif 000014
【図８】
0006359203.tif 000015
【図９】
0006359203.tif 000016
【図１０（ａ）】
0006359203.tif 000017
【図１０（ｂ）】
0006359203.tif 000018
【図１０（ｃ）】
0006359203.tif 000019
【図１０（ｄ）】
0006359203.tif 000020
【図１１（ａ）】
0006359203.tif 000021
【図１１（ｂ）】
0006359203.tif 000022
【図１１（ｃ）】
0006359203.tif 000023
【図１１（ｄ）】
0006359203.tif 000024
【図１１（ｅ）】
0006359203.tif 000025
【図１２】
0006359203.tif 000026